(57)【特許請求の範囲】
【請求項１】
エレベーター室における仮想制御パネルの投影装置であって、エレベーター室の壁の投影面上に、運転者によって認識可能な少なくとも１つの仮想制御要素を備える仮想像を投影する投影器と、
運転者による前記仮想制御要素の操作を感知し、かつ、これに対応してエレベータの動作を開始させるための制御センサと、
を備えていることを特徴とする仮想制御パネルの投影装置。
【請求項２】
前記投影器は、エレベーター室の天井において前記仮想像が投影される壁と近接した位置に配置され、前記壁の前記投影面は、前記壁の上部に位置することを特徴とする請求項１記載の投影装置。
【請求項３】
前記投影器は、さらに
光線を発生させるための光源と、
前記光線が通過する透過型液晶表示装置と、
前記液晶表示装置から前記光線を受け、前記投影面に焦点を合わせるレンズと、を備えていることを特徴とする請求項１記載の投影装置。
【請求項４】
前記光線は、可視光からなることを特徴とする請求項３記載の投影装置。
【請求項５】
前記投影装置はさらに、投影された前記仮想像内に複数の分割部分を形成するように、前記液晶表示装置を制御するマイクロプロセッサーを有する制御手段を備えており、各分割部分は異なる機能の像を表示することを特徴とする請求項１記載の投影装置。
【請求項６】
前記制御センサは、運転者による前記仮想制御要素の操作を感知するための光検知器を備えていることを特徴とする請求項１記載の投影装置。
【請求項７】
前記制御センサは、投影された前記仮想制御要素の像の位置と対応する前記投影面の部分において、運転者の接触による前記仮想制御要素の操作を検知するために、前記投影面と一致した接触感知面を備えていることを特徴とする請求項１記載の投影装置。
【請求項８】
前記接触感知面は、抵抗センサ、赤外線検知器、音響板、からなる接触感知面の群から選択されたものを使用することを特徴とする請求項７記載の投影装置。
【請求項９】
前記投影器と前記エレベータ室との間に振動絶縁取付部を備えていることを特徴とする請求項２記載の投影装置。
【発明の詳細な説明】
【０００１】
【発明の属する技術分野】
本発明は、仮想像を表示する装置に関し、特に、エレベーター室の仮想制御パネルの投影装置に関する。
【０００２】
【従来の技術】
現在のエレベーターの制御パネルは、様々な制御ボタンを備える適切な形状の制御パネルを、エレベーター室の壁に取り付けることが必要とされる。この制御パネルは、機械的なボタンを必要としており、比較的多量の連結ケーブルを要する。さらにこれは、破壊されやすい環境に露出しいる。
【０００３】
【発明が解決しようとする課題】
本発明は、これらの欠点を改善し、仮想像を、特にエレベーター室の制御パネルの仮想像を、表示する装置を提案する。
【０００４】
【課題を解決するための手段】
本発明に係る投影装置は、エレベーターの制御パネルの仮想像をエレベーター室の天井あるいはその近傍から、エレベーター室の壁面の適切な位置に投影することを一つの特徴とする。そして、仮想制御パネルの要素は、運転者および制御検知器にとって、従来の方法でエレベーターの制御を行うためのものとして認識される。
【０００５】
像の投影は、便宜のため、エレベーター室の壁の投影面に近接した天井の一部から行われ、望ましくは、この壁の上端付近から行われる。このようにすれば、像ビームの投影が人あるいは物によって干渉される危険性が、除去される。
【０００６】
上記投影面への像の投影は、好ましくは、光源から発生した光線を、透過型の液晶表示装置の平らなスクリーン、および、上記投影面に光線の焦点を合わせるためのレンズに通過させることによって行われる。
【０００７】
液晶表示装置上の像は、マイクロプロセッサーやコンピュータなどのような適用されたデータ処理手段によって制御され、これによって、例えば、フロア、フロアについてのメッセージ、広告、娯楽あるいは公共のメッセージに関する制御パネルの特定部分つまりウィンドウが、表示される。
【０００８】
制御検知器には、カメラあるいはアナログ光検知器を用いることができ、これによって、制御要素が運転者によって操作された状態を読みとることができる。さらに、制御検知器には、赤外線接触パッド、抵抗接触パッド、表面音響板（acoustic wave plate）、導波板(guide wave plate)、あるいは容量板(capacitive plate)、を使用してもよく、この場合は、これらが制御パネルの制御要素のための投影スクリーンとなる。
【０００９】
本発明は、このように、上述した方法を行うために、仮想像を表示する装置、特に、エレベーター室の制御パネルの仮想像を表示する装置を含む。これは、エレベーター室の天井あるいは天井付近に配置されるとともに、エレベーター室の制御パネルの仮想像を、エレベーター室の垂直壁の適切な制御位置に投影するように設計された投影手段と、従来の制御パネルと同様に、エレベーターを制御するために運転者によって操作された仮想制御素子の像を認識する手段と、を備えている。
【００１０】
【発明の実施の形態】
図１は、本発明に係る装置３を備えるエレベーター室１の内側を、エレベーター室１の開閉するドア５に向かって表している図である。制御パネル７は、アングルパネル９のドア５付近に、天井１３のアングルパネル9の上端部１５付近に位置する投影器１１から投影される仮想像として存在する。他の仮想像１７は、制御パネル７と同種ではあるが独立しており、エレベーター室１の主壁パネル１９上に投影器１１によって投影される。制御パネル７の像は、従来の実際に据え付けられて電線でつながれた制御パネルと同様に、大人が見て操作するのに適切な位置に配置される。アングルパネル９の表面は、上部の投影器から投影される像を正確に反射するするために反射性を有することが望ましい。
【００１１】
図２は、制御パネル７の拡大図である。制御パネル７は垂直方向に長い方形の形状をとって現れる。このパネル７は、いくつかのウィンドウを有し、上部から下部へ向かって、順に、現在のフロア位置とエレベーター室１の移動方向を示すウィンドウ２１、外部カメラによって乗り場側ドア付近における現在のフロアの乗り場の様子を写すウィンドウ２２、選択されたフロアの平面図を表示するウィンドウ２３、エレベーター室１の全ての呼出しボタンおよび制御ボタン２７を含むウィンドウ２５、エレベーター室１の規制や警戒状態などのメッセージを表示するウィンドウ２９がある。ボタンを有するウィンドウ２５のみが不変であって一定の状態を維持するが、他のウィンドウ２１，２２，２３，２９は、エレベーター室１の動き、位置、運転状態、と相関して変化することができる。ウィンドウ２５は、パネル上の抵抗接触パッドの位置に対応して設けることができ、このパッド上に、指により操作される様々な手動操作制御素子が、ボタン２７（フロア番号）の仮想像により視覚化されたものとして、表示されている。コマンドを与えようとする運転者は、（投影により視覚化された）選択されたボタン２７を押す。コマンド自体は、従来技術における取り付けられた制御パネルと比較して、変更されていない。
【００１２】
図３は、エレベーター室１の上部コーナに投影された影像ビーム３１の垂直断面図である。この投影は、天井１３にある投影器１１から発生し、このときパネルに対する投射角の下限はβであり、上限はαである。
【００１３】
投影される影像は、投影パネル上に正常に表れるように、その長さに沿って拡大あるいは縮小した形に伸長あるいは短縮されており、実際は歪んでいる。
【００１４】
投影器１１は、像の質を良くするために（安定性を良くするために）、たわみ継手３３に取り付けて振動から隔離することが望ましい。
【００１５】
図３に仮想線によって示されているように、エレベーター室１の外側の投影器１１′によって投影を行うこともできる。この投影器１１′は、例えば投影されるパネル９を挟んで内部の投影器１１に対称的に配置され、パネルの半透明のウィンドウ上に像を投影する。この配置によれば、反射光の干渉が防止される。
【００１６】
図４は、本発明に係る装置の機能ブロック図であり、概略、投影器１１、エレベーター室１内の像投影スクリーン９、投影器内の制御，操縦手段３５を示している。投影器１１は、単色あるいは彩色のアクティブあるいはパッシブのマトリクスを有する透過型液晶表示スクリーン（LCD）３７を備える。この投影原理は、当該技術分野において、“モノバルブ（monovalve）”と称されており、周知である。可視光線は、加熱防止のために後部照明から発生し、このスクリーンを通過し、集積レンズ（integrating lens）、紫外線フィルターおよび視野レンズを通過する（これらは周知であって図示されていない）。例えば、光は、光源３８およびいわゆるコールドミラー４０から発生し、投影される像の出力の焦点を合わせるために投影レンズつまり対物レンズ３９に導かれる。この像は、例えばマイクロプロセッサ型の処理装置３５によって制御されるLCDスクリーンに通して調整される。処理装置３５は、制御パネル像や他の像のような所望の像の種類に対応する外部像データ４１を、それ自体が受ける。マイクロプロセッサー３５は、上述したようにエレベーター室１の状況、状態および動きと相関して、仮想制御パネルの全ウィンドウ２１〜２９を即時に更新するように、LCDの像を処理する。
【００１７】
パネルの全体的な像は、他のモジュール４１に像データを与えることによって変更することが可能である。また、本発明の上述した説明についても多数の変更が可能である。
【００１８】
例えば、投影面は、エレベーター室１の単純なパネルを用いてもよく、あるいは圧電変換器を備える表面音響波型の接触パッド、あるいは赤外線接触パッド、あるいは抵抗接触パッド、などを備えてもよい。
【００１９】
仮想像が接触パッド上に投影されると、指を使ってコマンドを選択することが容易になる。このコマンド選択は、押圧の情報と、パッド上のX，Yの位置とを提供する電子制御手段によって行われる。その後、処理ソフトウェアが、選択されたフロアあるいはさらに広くは押されたボタンを認識する（ドアを開くこと、特別な操作など）。
【００２０】
像が単純なパネル上に投影される場合は、この検知は、カメラおよび形状認識ソフトウェアによって行われる。例えば、エレベーター室の呼出しは、選択された接触の逆の映像によって確認される。
【００２１】
投射面は、盲人のためにブライユ点字を備えてもよい。
【００２２】
加えて、圧迫感および閉所恐怖感を除去するために、仮想制御パネルのLCD投影を、エレベーター室１の背面へ行うことも考えられる。
【００２３】
なお、像は、エレベーター室１の壁上に、ほぼその高さに沿って投影することができる。
【図面の簡単な説明】
【図１】本発明に係る装置を備えたエレベーター室内側を示す図。
【図２】仮想制御パネルの拡大図。
【図３】本発明に係る投影装置の垂直断面図。
【図４】本発明に係る投影装置の機能ブロック図。
【符号の説明】
１…エレベーター室
７…仮想制御パネル
９…投影面
１１…投影器
１３…天井
２１，２２，２３，２５，２９…ウィンドウ
２７…制御ボタン
３５…処理装置
３７…透過型液晶表示装置（LCD）
３８…光源
４１…像データモジュール
【図１】
0004291917.tif 000002
【図２】
0004291917.tif 000003
【図３】
0004291917.tif 000004
【図４】
0004291917.tif 000005